(57)【要約】【課題】  着脱、交換、追加が可能な送受信モジュールと、着脱、交換が可能な要素デバイスを有し、状況に応じて、最適な送受信モジュールと、最適な要素デバイスで通信できる携帯端末装置を提供する。【解決手段】  ハードウェア構成監視部６０は、送受信モジュール２０1〜nが装着されると、ソフト切替制御部９０へその旨を通知し、対応するソフトウェアを利用可能な状態にする。システム検出部１３０は、ソフトウェア切替制御部９０にソフトウェアを切替えさせつつ、復調器１００の出力をモニターすることにより、どの送受信モジュールの利用が好ましいかを判断する。また、システム検出部１３０は、ソフトウェア切替部９０に対して、その送受信モジュールに対応するソフトウェアに切り替えるように指示を送る。また、要素デバイス１６１〜１６４が交換されると、更新ソフト切替部１７０内で、交換された要素デバイスに対応する更新ソフトが読み込まれる。【選択図】  図１
2005167363.tif 000002
【特許請求の範囲】
【請求項１】
同一のハードウェア構成で、複数の無線システムに対応できる携帯端末装置において、
異なる無線システムに対応する送受信モジュールを取り外し可能に複数収容する手段と、
送受信モジュールが装着されると、それを検出して、装着された送受信モジュールに対応する、復調器および変調器を動作させるソフトウェアを起動待機状態にする手段と、
すでに装着されている送受信モジュールに対応する、前記復調器および前記変調器を動作させるソフトウェアを切り替えて起動するソフトウェア切替手段と、
前記ソフトウェア切替手段にソフトウェアを切替えさせながら、前記復調器の出力をモニターすることによって、最適な送受信モジュールを決定し、前記ソフトウェア切替手段に対して、最適な送受信モジュールに対応するソフトウェアに切り替えるように命令する手段を有することを特徴とする携帯端末装置。
【請求項２】
外部入出力手段を取り外し可能に収容する手段と、
外部入出力手段を交換すると、それを検出して、新しく装着された外部入出力手段を動作させるソフトウェアを起動する手段をさらに有する、請求項１に記載の携帯端末装置。
【発明の詳細な説明】
【技術分野】
【０００１】
本発明は、同一のハードウェア構成で、複数の無線システムに対応できる携帯端末装置に関する。
【背景技術】
【０００２】
同一のハードウェア構成で、複数の無線システムに対応できる携帯端末装置としては、特開２０００−２７８１６６号公報（特許文献１）に記載の携帯端末装置が挙げられる。
【０００３】
この携帯端末装置は、送受信モジュールが携帯端末装置本体から着脱可能となっている。送受信モジュールは、無線システムの帯域に応じて選択され、携帯端末装置本体に装着される。変調器および復調器では、送受信モジュールの交換に応じて、変調器および復調器を動作させるソフトウェアが自動的に切り替えられる。以上によって、同一のハードウェア構成で、複数の無線システムに対応できる。
【特許文献１】特開２０００−２７８１６６号公報
【発明の開示】
【発明が解決しようとする課題】
【０００４】
特許文献１に記載の携帯端末装置には、次のような問題点がある。
【０００５】
第１に、着脱可能な送受信モジュールは、交換しかできず、追加ができない。
【０００６】
第２に、送受信モジュール以外は着脱できない。
【０００７】
本発明の目的は、着脱、交換、追加が可能な送受信モジュールと、着脱、交換が可能な要素デバイスを有し、状況に応じて、より最適な送受信モジュールと、より最適な要素デバイスで通信できる携帯端末装置を提供することにある。
【課題を解決するための手段】
【０００８】
上記目的を達成するために、本発明は、送受信モジュールの収容部を複数設け、複数の異なる無線システムに対応する送受信モジュールを取り外し可能に収容できるようにする。そして、ハードウェア構成監視部を設け、送受信モジュールが装着されると、それを検出して、装着された送受信モジュールに対応する、復調器および変調器を動作させるソフトウェアを起動待機状態にし、装着された送受信モジュールをいつでも利用できる状態にする。また、ソフト切替制御部を設け、すでに装着されている送受信モジュールに対応する、復調器および変調器を動作させるソフトウェアを切り替えて起動することができるようにする。さらに、システム検出部を設け、このシステム検出部が、ソフト切替制御部にソフトウェアを切替えさせながら、復調器の出力をモニターすることによって、最適な送受信モジュールを決定する。システム検出部が、ソフト切替制御部に、この送受信モジュールに対応するソフトウェアに切り替えるように命令を送ることによって、複数の無線システムの中から最適なシステムが選択される。
【０００９】
また、表示装置、カメラ、入力装置、マイクロフォンやスピーカなどの音声装置などの要素デバイスを取り外し可能に収容する。要素デバイスを交換すると、それを検出して、新しく装着された要素デバイスを動作させるソフトウェアを起動するようにする。
【発明の効果】
【００１０】
以上説明したように、本発明によれば、次のような効果が得られる。
【００１１】
第１に、そのときどきの使用状況において、複数の送受信モジュールから最適な送受信モジュールを自動的に選択して、通信を行うことができる。
【００１２】
第２に、そのときどきの使用状況において、最適な要素デバイスを選択して、通信を行うことができる。
【発明を実施するための最良の形態】
【００１３】
次に、本発明の実施の形態について、図面を参照して詳細に説明する。
【００１４】
図１を参照すると、本発明の一実施形態の携帯端末装置が示されている。
【００１５】
アンテナ１０によって外部から受信された信号は、送受信モジュール２０1〜２０nの受信部２１と、受信ミキサ３０と、ＡＤ変換器７０を介して復調器１００に入力される。復調器１００の動作は、ソフトウェアメモリ１１０内のソフトウェアによって制御される。復調器１００の動作は、ソフトウェアメモリ１１０内のソフトウェアを変更することによって、変更することが可能である。ソフトウェアメモリ１１０内のソフトウェアは、ソフトウェア切替制御部９０によって、ソフトウェア１からソフトウェアｎまでの中から選択される。受信ミキサ３０には、広帯域シンセサイザ４０からの局部発信信号が供給されている。復調器１００で復調されたデジタル信号は、ベースバンド信号処理部１４０で信号処理され、マンマシンインターフェース部１６０に入力される。復調された信号は、マンマシンインターフェース部１６０の表示部１６１と、音声部１６４から出力される。
【００１６】
一方、外部から、マンマシンインターフェース部１６０のカメラ部１６２と、入力部１６３と、音声部１６４に入力された信号は、ベースバンド信号処理部１４０で信号処理された後、変調器１２０に入力される。変調器１２０の動作は、ソフトウェアメモリ１１０内のソフトウェアによって制御される。変調器１２０の動作は、ソフトウェアメモリ１１０内のソフトウェアを変更することによって、変更することが可能である。変調器１２０の出力は、ＤＡ変換器８０でアナログ化され、送信ミキサ５０と広帯域シンセサイザ４０によって搬送波周波数に変換され、電力増幅器２２と、送信フィルタ２３と、アイソレータ２４を介して、アンテナ１０から出力される。
【００１７】
受信部２１と、電力増幅器２２と、送信フィルタ２３と、アイソレータ２４は、送受信モジュール２０1、２０2、２０nを形成している。送受信モジュール２０1、２０2、２０nは、それぞれ着脱可能であり、また、同時に装着可能である。
【００１８】
ハードウェア構成監視部６０は、送受信モジュール２０1、２０2、２０nが装着されると、ソフト切替制御部９０へその旨を通知し、対応するソフトウェア１〜ｎを利用可能な状態にする。
【００１９】
システム検出部１３０は、ソフトウェア切替制御部９０にソフトウェア１〜ｎを切替えさせつつ、復調器１００の出力をモニターすることにより、どの送受信モジュール２０1〜２０nの利用が好ましいかを判断する。また、システム検出部１３０は、その結果をシステム表示部１５０に表示するとともに、ソフトウェア切替部９０に対して、その送受信モジュールに対応するソフトウェアに切り替えるように指示を送る。
【００２０】
モジュール２０1、２０2、２０nは、ＰＨＳモジュールや無線ＬＡＮモジュールなども含む。以上により、同一のハードウェア構成で、複数の周波数帯域の利用、異なるモジュール間での同時待ち受け、最適モジュールへの自動切換えが可能になる。
【００２１】
マンマシンインターフェース部１６０内の主要デバイスである表示部１６１と、カメラ部１６２と、入力部１６３と、音声部１６４は、それぞれ交換可能である。これら主要デバイスが交換されると、更新ソフト切替部１７０内で、交換されたデバイスに対応する更新ソフト１〜ｎが読み込まれ、交換された主要デバイスが利用可能になる。
【図面の簡単な説明】
【００２２】
【図１】本発明の一実施形態の携帯端末装置の構成を示した図である。
【符号の説明】
【００２３】
１０  アンテナ
２０1〜２０n  送受信モジュール
２１  受信部
２２  電力増幅器
２３  送信フィルタ
２４  アイソレータ
３０  受信ミキサ
４０  広帯域シンセサイザ
５０  送信ミキサ
６０  ハードウェア構成監視部
７０  ＡＤ変換器
８０  ＤＡ変換器
９０  ソフト切替制御部
１００  復調器
１１０  ソフトウェアメモリ
１２０  変調器
１３０  システム検出部
１４０  ベースバンド信号処理部
１５０  システム表示部
１６０  マンマシンインターフェース部
１６１  表示部
１６２  カメラ部
１６３  入力部
１６４  音声部
１７０  更新ソフト切替部
【図１】
2005167363.tif 000003